(57)【要約】【課題】仕上加工用砥石車の寿命を延長でき、かつ、仕上加工工程の研削加工時間を短縮することができる研削方法を提供する。【解決手段】支持装置２０により回転可能に被加工物Ｗを支持された状態で、荒加工用砥石車７３により荒加工工程を行い、仕上加工用砥石車７４により仕上加工工程を行う研削方法であって、被加工物Ｗの研削部位は、外周面に曲率半径Ｒ１の凹状曲面を有するカム形状に形成され、荒加工用砥石車７３の半径Ｒ２および仕上加工用砥石車７４の半径Ｒ３は、凹状曲面の曲率半径Ｒ１より小さく形成される。【選択図】図２
2012091285.tif 000002
【特許請求の範囲】
【請求項１】
支持装置により回転可能に被加工物を支持された状態で、荒加工用砥石車により荒加工工程を行い、仕上加工用砥石車により仕上加工工程を行う研削方法であって、
前記被加工物の研削部位は、外周面に曲率半径Ｒ１の凹状曲面を有するカム形状に形成され、
前記荒加工用砥石車の半径Ｒ２および前記仕上加工用砥石車の半径Ｒ３は、前記凹状曲面の曲率半径Ｒ１より小さく形成される研削方法。
【請求項２】
請求項１において、
前記被加工物を加工する研削盤は、
前記被加工物を回転可能に支持する前記支持装置と、
前記支持装置に対して相対移動可能に配置され、選択的に使用可能な前記荒加工用砥石車および前記仕上加工用砥石車を備える複合砥石台と、
前記荒加工用砥石車と前記仕上加工用砥石車とを選択的に用いて前記被加工物を研削する制御装置と、
を備える複合研削盤であり、
前記研削方法は、
前記被加工物を前記支持装置により支持した状態で、設定された仕上取代を残すように前記荒加工用砥石車を用いて前記被加工物に対して荒加工を行う荒加工工程と、
前記荒加工工程の後に、前記被加工物を前記支持装置により継続して支持した状態で、前記仕上加工用砥石車を用いて前記仕上取代を取り除くように仕上加工を行う仕上加工工程と、
を実行する研削方法。
【請求項３】
被加工物を支持する支持装置と、
前記支持装置に対して相対移動可能に配置された荒加工用砥石車と、
前記支持装置に対して相対移動可能に配置された仕上加工用砥石車と、
を備える研削システムにおいて、
前記被加工物の研削部位は、外周面に曲率半径Ｒ１の凹状曲面を有するカム形状に形成され、
前記荒加工用砥石車の半径Ｒ２および前記仕上加工用砥石車の半径Ｒ３は、前記凹状曲面の曲率半径Ｒ１より小さく形成される研削システム。
【請求項４】
被加工物を支持する支持装置と、
前記支持装置に対して相対移動可能に配置され、選択的に使用可能な荒加工用砥石車および仕上加工用砥石車を備える複合砥石台と、
前記荒加工用砥石車と前記仕上加工用砥石車とを選択的に用いて前記被加工物を研削する制御装置と、
を備える複合研削盤であって、
前記被加工物の研削部位は、外周面に曲率半径Ｒ１の凹状曲面を有するカム形状に形成され、
前記荒加工用砥石車の半径Ｒ２および前記仕上加工用砥石車の半径Ｒ３は、前記凹状曲面の曲率半径Ｒ１より小さく形成され、
前記制御装置は、
前記被加工物を前記支持装置により支持した状態で、設定された仕上取代を残すように前記荒加工用砥石車を用いて前記被加工物に対して荒加工を行い、
前記荒加工の後に前記仕上加工用砥石車を用いて前記仕上取代を取り除くように仕上加工を行う複合研削盤。
【発明の詳細な説明】
【技術分野】
【０００１】
本発明は、荒加工工程と仕上加工工程とを備える研削方法、当該研削方法を適用した研削システムおよび複合研削盤に関するものである。
【背景技術】
【０００２】
従来、米国特許第５，３９２，５６６号明細書（特許文献１）に、大径の荒加工用砥石車と小径の仕上加工用砥石車を備えた複合研削盤において、凹状曲面を有するカム形状を加工することが記載されている。
【先行技術文献】
【特許文献】
【０００３】
【特許文献１】米国特許第５，３９２，５６６号明細書
【発明の概要】
【発明が解決しようとする課題】
【０００４】
特許文献１には、荒加工用砥石車を大径とし、仕上加工用砥石車を小径としている。そのため、荒加工用砥石車による荒加工工程を終了した被加工物において、凹状曲面の部分の仕上取代が、凹状曲面以外の部分の仕上取代よりも多くなっている。そのため、仕上加工工程において、仕上加工用砥石車による研削抵抗が、被加工物の回転位相によって変化してしまう。特に、カム形状の凹状曲面の部分の仕上取代が他の部位よりも大きいため、当該凹状曲面の部分を研削加工する場合の研削抵抗が大きくなってしまう。このことは、仕上加工用砥石車の寿命を短くしたり、仕上加工工程の時間を長期化したりすることになる。
【０００５】
本発明は、このような事情に鑑みてなされたものであり、仕上加工用砥石車の寿命を延長でき、かつ、仕上加工工程の研削加工時間を短縮することができる研削方法、研削システムおよび複合研削盤を提供することを目的とする。
【課題を解決するための手段】
【０００６】
（請求項１）本発明の研削方法は、支持装置により回転可能に被加工物を支持された状態で、荒加工用砥石車により荒加工工程を行い、仕上加工用砥石車により仕上加工工程を行う研削方法であって、前記被加工物の研削部位は、外周面に曲率半径Ｒ１の凹状曲面を有するカム形状に形成され、前記荒加工用砥石車の半径Ｒ２および前記仕上加工用砥石車の半径Ｒ３は、前記凹状曲面の曲率半径Ｒ１より小さく形成される。
【０００７】
（請求項２）また、本発明の研削方法において、前記被加工物を加工する研削盤は、前記被加工物を回転可能に支持する前記支持装置と、前記支持装置に対して相対移動可能に配置され、選択的に使用可能な前記荒加工用砥石車および前記仕上加工用砥石車を備える複合砥石台と、前記荒加工用砥石車と前記仕上加工用砥石車とを選択的に用いて前記被加工物を研削する制御装置と、を備える複合研削盤であり、前記研削方法は、前記被加工物を前記支持装置により支持した状態で、設定された仕上取代を残すように前記荒加工用砥石車を用いて前記被加工物に対して荒加工を行う荒加工工程と、前記荒加工工程の後に、前記被加工物を前記支持装置により継続して支持した状態で、前記仕上加工用砥石車を用いて前記仕上取代を取り除くように仕上加工を行う仕上加工工程と、を実行するようにしてもよい。
【０００８】
（請求項３）また、本発明の研削システムは、被加工物を支持する支持装置と、前記支持装置に対して相対移動可能に配置された荒加工用砥石車と、前記支持装置に対して相対移動可能に配置された仕上加工用砥石車と、を備える研削システムにおいて、前記被加工物の研削部位は、外周面に曲率半径Ｒ１の凹状曲面を有するカム形状に形成され、前記荒加工用砥石車の半径Ｒ２および前記仕上加工用砥石車の半径Ｒ３は、前記凹状曲面の曲率半径Ｒ１より小さく形成される。
【０００９】
（請求項４）また、本発明の複合研削盤は、被加工物を支持する支持装置と、前記支持装置に対して相対移動可能に配置され、選択的に使用可能な荒加工用砥石車および仕上加工用砥石車を備える複合砥石台と、前記荒加工用砥石車と前記仕上加工用砥石車とを選択的に用いて前記被加工物を研削する制御装置と、を備える複合研削盤であって、前記被加工物の研削部位は、外周面に曲率半径Ｒ１の凹状曲面を有するカム形状に形成され、前記荒加工用砥石車の半径Ｒ２および前記仕上加工用砥石車の半径Ｒ３は、前記凹状曲面の曲率半径Ｒ１より小さく形成され、前記制御装置は、前記被加工物を前記支持装置により支持した状態で、設定された仕上取代を残すように前記荒加工用砥石車を用いて前記被加工物に対して荒加工を行い、前記荒加工の後に前記仕上加工用砥石車を用いて前記仕上取代を取り除くように仕上加工を行う。
【発明の効果】
【００１０】
（請求項１）本発明によれば、荒加工用砥石車の半径Ｒ２をカム形状の凹状曲面の曲率半径Ｒ１より小さくすることで、荒加工用砥石車により、最終仕上形状に至るまで研削加工することが可能となる。つまり、荒加工用砥石車により、仕上取代をゼロにすることが可能となる。ただし、実際には、荒加工用砥石車により仕上取代がゼロになる状態まで、研削加工を行うことはない。そして、被加工物において仕上取代を残した形状は、荒加工用砥石車の形状に依存しない形状とすることができる。つまり、仕上取代を、凹状曲面の部分と凹状曲面以外の部分とで同一量とすることができる。従って、凹状曲面を有するカム形状を研削加工する場合であっても、仕上取代を、荒加工用砥石車の形状に依存させることなく、最小限に設定することができる。
【００１１】
また、上述したように、仕上取代を、凹状曲面の部分と凹状曲面以外の部分とで同一量とすることができる。その結果、仕上加工工程において、仕上加工用砥石車による研削抵抗が、被加工物の回転位相によって変化しないようにできる。このことにより、仕上加工用砥石車の寿命を長期化でき、仕上加工工程の時間を短縮できる。また、仕上加工用砥石車の半径Ｒ３をカム形状凹状曲面の曲率半径Ｒ１より小さくすることで、仕上加工用砥石車により、確実に最終仕上形状に至るまで研削加工することができる。
【００１２】
（請求項２）荒加工用砥石車と仕上加工用砥石車を備える複合研削盤を適用することにより、荒加工工程と仕上加工工程との工程集約が可能となる。これにより、荒加工工程と仕上加工工程との間で被加工物を支持装置から脱着しないため、脱着による被加工物の取付位相誤差が含まれることがないため、仕上取代を少なくできる。
【００１３】
さらに、本発明によれば、被加工物において仕上取代を残した形状は、荒加工用砥石車の形状に依存しない形状としている。このように、仕上取代は、荒加工用砥石車の形状に関わりなく設定されている。これにより、仕上取代を少なくできる。その結果、仕上加工用砥石車の寿命を延長できる。
【００１４】
従って、本発明によれば、工程集約により被加工物の脱着を行わないことによる仕上取代の低減化に加えて、仕上取代の設定方法を上記のようにすることによる仕上取代の低減化を合わせることで、仕上取代の最小限化を図ることができる。その結果、仕上加工用砥石車の寿命を延長でき、仕上加工用砥石車に要するコストを低減することができる。
【００１５】
また、工程集約により荒加工工程と仕上加工工程との間で被加工物を支持装置から脱着しないため、複合研削盤において荒加工工程開始から仕上加工工程終了までの時間を短縮できる。
【００１６】
（請求項３）本発明は、上述した請求項１の研削方法に係る発明を、研削システムとして捉えたものである。これにより、上述した研削方法による効果と同様の効果を奏する。
【００１７】
（請求項４）本発明は、上述した請求項２の研削方法に係る発明を、複合研削盤として捉えたものである。これにより、上述した研削方法による効果と同様の効果を奏する。
【図面の簡単な説明】
【００１８】
【図１】第一実施形態：複合研削盤の平面図である。
【図２】第一実施形態：被加工物の研削部位を軸方向から見た図であり、荒加工用砥石車および仕上加工用砥石車との対比図を示す。
【図３】第一実施形態：被加工物の研削部位を軸方向から見た図であり、カムプロフィールおよびカムプロフィール研削誤差を示す図である。
【図４】第一実施形態：製造ラインの構成図である。
【図５】第二実施形態：製造ラインの構成図である。
【図６】（ａ）第一実施形態について、各工程における取代および研削加工時間を示すグラフであり、（ｂ）第二実施形態について、各工程における取代および研削加工時間を示すグラフであり、（ｃ）参考例について、各工程における取代および研削加工時間を示すグラフである。
【図７】第一，第二実施形態および参考例について、ツールコストを示す表である。
【発明を実施するための形態】
【００１９】
＜第一実施形態＞
（複合研削盤の構成）
第一実施形態の研削方法および複合研削盤について、図１〜図４を参照して説明する。図１に示すように、複合研削盤１は、砥石台トラバース型を例に挙げて説明する。複合研削盤１は、ベッド１０と、支持装置２０と、砥石支持装置６０と、制御装置８０とを備えて構成される。
【００２０】
ベッド１０は、例えばほぼ矩形状に形成されており、床上に固定される。このベッド１０の上面には、砥石支持装置６０が摺動可能な２本の砥石台用ガイドレール１１が、図１の左右方向（Ｚ軸方向）に延びるように、且つ、相互に平行に形成されている。また、ベッド１０には、２本の砥石台用ガイドレール１１の間に、砥石支持装置６０を図１の左右方向に駆動するための、砥石台用Ｚ軸ボールねじ１２が配置され、この砥石台用Ｚ軸ボールねじ１２を回転駆動する砥石台用Ｚ軸モータ１３が配置されている。
【００２１】
支持装置２０は、被加工物Ｗを回転可能に支持する。本実施形態において、被加工物Ｗはカムシャフトであって、被加工物Ｗの研削部位はカム形状のカム外周面である。従って、支持装置２０は、被加工物Ｗであるカムシャフトの軸回りに回転可能となるように、カムシャフトの両端を支持する。支持装置２０は、カムシャフトの一端を支持する主軸台２１と、カムシャフトの他端を支持する心押台２２とを備える。この支持装置２０は、ベッド１０の上面のうち、砥石台用ガイドレール１１の手前側に対向する位置に設けられ、カムシャフトの軸方向がＺ軸方向となるように設けられている。
【００２２】
砥石支持装置６０は、砥石台トラバースベース６１と、複合砥石台６２とを備えている。砥石台トラバースベース６１は、矩形の平板状に形成されており、ベッド１０の上面のうち、砥石台用ガイドレール１１上をＺ軸方向に摺動可能に配置されている。砥石台トラバースベース６１は、砥石台用Ｚ軸ボールねじ１２のナット部材に連結されており、砥石台用Ｚ軸モータ１３の駆動により砥石台用ガイドレール１１に沿ってトラバース送りされる。この砥石台トラバースベース６１の上面には、複合砥石台６２が摺動可能な２本のＸ軸ガイドレール（図示せず）が、図１の上下方向（Ｘ軸方向）に延びるように、且つ、相互に平行に形成されている。さらに、砥石台トラバースベース６１には、Ｘ軸ガイドレールの間に、複合砥石台６２を図１の上下方向に駆動するための、Ｘ軸ボールねじ（図示せず）が配置され、このＸ軸ボールねじを回転駆動するＸ軸モータ（図示せず）が配置されている。
【００２３】
複合砥石台６２は、砥石台本体７１と、砥石台旋回機構７２と、荒加工用砥石車７３と、仕上加工用砥石車７４と、砥石回転用モータ７５，７６とを備えている。砥石台本体７１は、砥石台トラバースベース６１の上面のうち、Ｘ軸ガイドレール上を摺動可能に配置されている。そして、砥石台本体７１は、Ｘ軸ボールねじのナット部材に連結されており、Ｘ軸モータの駆動によりＸ軸ガイドレールに沿って移動する。つまり、砥石台本体７１は、支持装置２０に支持されているカムシャフトに対して、Ｘ軸方向およびＺ軸方向に相対移動可能となる。
【００２４】
砥石台本体７１は、砥石台旋回機構７２により、砥石台トラバースベース６１に対して、Ｙ軸回り（図１の紙面法線軸回り）に旋回可能に支持されている。この砥石台旋回機構７２の旋回軸Ｃは、砥石台トラバースベース６１の中央付近に位置している。さらに、砥石台本体７１のうち旋回軸Ｃ回りの外周側には、荒加工用砥石車７３と仕上加工用砥石車７４が水平な軸回りに回転可能に設けられている。荒加工用砥石車７３は、半径Ｒ２の円盤状に形成されており、荒加工を行うのに適した砥石車である。仕上加工用砥石車７４は、半径Ｒ３（ここではＲ２と同一）の円盤状に形成されており、仕上加工を行うのに適した砥石車である。仕上加工用砥石車７４は、荒加工用砥石車７３の位置に対して、旋回軸Ｃの軸対称となる位置に設けられている。つまり、荒加工用砥石車７３と仕上加工用砥石車７４は、選択的に使用可能となる。さらに、砥石台本体７１には、荒加工用砥石車７３および仕上加工用砥石車７４のそれぞれを回転可能とする砥石回転用モータ７５，７６が設けられている。
【００２５】
制御装置８０は、主軸の回転、複合砥石台６２のＸ軸位置およびＺ軸位置、並びに、複合砥石台６２の旋回角度をＮＣ制御している。さらに、制御装置８０は、荒加工用砥石車７３と仕上加工用砥石車７４のうち研削を行う方を回転駆動する砥石回転用モータ７５，７６を回転させる。つまり、制御装置８０により、複合砥石台６２を砥石台旋回機構７２による位置決めを行った後に、研削を行う砥石７３，７４の何れかを回転させながら、被加工物Ｗであるカムシャフトに対する複合砥石台６２のＸ軸位置およびＺ軸位置を制御することで、被加工物Ｗであるカムシャフトのカム外周面を研削加工する。
【００２６】
このように、複合研削盤１により、荒加工用砥石車７３による荒加工工程と仕上加工用砥石車７４による仕上加工工程との工程集約が可能となる。これにより、荒加工工程と仕上加工工程との間で、被加工物Ｗであるカムシャフトを支持装置２０から脱着しないため、脱着による被加工物Ｗであるカムシャフトの取付位相誤差が含まれることがない。従って、取付位相誤差を考慮しなくて済む分、仕上加工用砥石車７４による仕上取代を少なくできる。
【００２７】
（カムシャフトのカム外周面および砥石車の形状）
次に、図２を参照して、被加工物Ｗであるカムシャフトのカム外周面と、荒加工用砥石車７３および仕上加工用砥石車７４について説明する。カムシャフトのカム外周面は、図２の実線にて示すように、２カ所の凹状曲面Ｗ１，Ｗ２を有している。具体的には、カムシャフトのカム外周面は、基準円の両端部とリフト量が最大となる位置とのそれぞれの中間付近に、凹状曲面Ｗ１，Ｗ２を有している。これらの凹状曲面Ｗ１，Ｗ２の曲率半径の最小値は、Ｒ１である。
【００２８】
また、カムシャフトのカム外周面において、荒加工用砥石車７３による研削加工を終了した状態の形状Ｗａを、図２の一点鎖線にて示す。当該一点鎖線にて示す形状Ｗａは、荒加工用砥石車７３により研削加工を行うカムプロフィールとなる。つまり、当該一点鎖線にて示す形状Ｗａと実線にて示す最終形状Ｗとの差分が、仕上加工用砥石車７４による仕上取代となる。
【００２９】
そして、図２に示すように、荒加工用砥石車７３の半径Ｒ２および仕上加工用砥石車７４の半径Ｒ３は、凹状曲面Ｗ１，Ｗ２の曲率半径の最小値Ｒ１よりも小さく形成されている。従って、荒加工用砥石車７３により、図２の実線にて示すカム外周面の最終仕上形状Ｗに至るまで研削加工することが可能となる。つまり、荒加工用砥石車７３により、究極的には、仕上加工用砥石車７４による仕上取代をゼロにすることが可能となる。ただし、実際には、荒加工用砥石車７３により仕上取代がゼロになる状態まで、研削加工を行うことはない。
【００３０】
上記のことを換言すると、図２の一点鎖線にて示すように、カム外周面において仕上取代を残した形状Ｗａは、荒加工用砥石車７３の形状に依存しない形状とすることができる。つまり、仕上取代を、凹状曲面Ｗ１，Ｗ２の部分と凹状曲面Ｗ１，Ｗ２以外の部分とで同一量とすることができる。従って、凹状曲面Ｗ１，Ｗ２を有するカム形状を研削加工する場合であっても、仕上取代を、荒加工用砥石車７３の形状に依存させることなく、最小限に設定することができる。
【００３１】
なお、上述したように、ここでは、荒加工用砥石車７３の半径Ｒ２と仕上加工用砥石車７４の半径Ｒ３は、同一としている。また、仕上加工用砥石車７４の半径Ｒ３をカム形状凹状曲面の曲率半径Ｒ１より小さくすることで、仕上加工用砥石車７４により、確実に最終仕上形状に至るまで研削加工することができる。
【００３２】
（仕上取代の設定方法）
次に、仕上加工用砥石車７４により研削加工を行う仕上取代の設定方法について説明する。仕上取代は、仕上加工工程において仕上加工用砥石車７４により研削加工する部分であり、荒加工工程において荒加工用砥石車７３により削り残しとする部分である。
【００３３】
仕上取代を残した形状は、上述したように、荒加工用砥石車７３の形状に依存しない形状である。従って、仕上取代は、荒加工用砥石車７３の形状に関わりなく設定される。さらに、上述したように、被加工物Ｗであるカムシャフトを支持装置２０から脱着しないことにより、被加工物Ｗの脱着に伴う取付位相誤差による仕上取代を考慮する必要がない。従って、仕上取代は、被加工物Ｗの脱着に伴う取付位相誤差に関わりなく設定される。そして、仕上取代は、（１）複合研削盤１の熱変位量、（２）荒加工用砥石車７３に起因する研削抵抗の変化量、（３）被加工物Ｗであるカムシャフトのカム外周面のカムプロフィール研削誤差に基づいて設定される。
【００３４】
複合研削盤１に熱変位が生じると、荒加工用砥石車７３と被加工物Ｗであるカムシャフトの研削部位との相対距離が変化する。従って、複合研削盤１の熱変位量によって、荒加工用砥石車７３による切込量が変化する。そこで、複合研削盤１の熱変位量を考慮して、仕上取代を設定している。
【００３５】
また、荒加工用砥石車７３に起因する研削抵抗の変化量とは、いわゆる荒加工用砥石車７３の切れ味とも言われるものである。砥石車のドレッシングした直後と、ドレッシングしてから多量の研削加工を行った後においては、砥石車の切れ味が変化する。研削条件を一切変更しない状態であっても、砥石車の切れ味が変化することにより、切込量が変化する。そして、砥石車の切れ味の変化は、研削条件を一切変更しない状態において、研削抵抗の変化として現れる。そこで、荒加工用砥石車７３に起因する研削抵抗の変化量を考慮して、仕上取代を設定している。
【００３６】
カムプロフィール研削誤差については、図３を参照して説明する。図３において、実線にて仕上加工用砥石車７４による研削加工を終了した状態の最終形状Ｗを示し、一点鎖線にて荒加工用砥石車７３による研削加工を終了した状態の形状Ｗａ１を示す。そして、当該一点鎖線で示す形状Ｗａ１は、荒加工用砥石車７３により研削加工を行うカムプロフィールである。カムプロフィールは、被加工物Ｗであるカムシャフトの回転位相とリフト量で表される。このカムプロフィールは、制御装置８０からの指令値である。当該指令値に基づいて、複合研削盤１の各構成を実際に駆動して、被加工物Ｗであるカムシャフトのカム外周面を研削加工する場合には、理想的なカムプロフィールに対して誤差を生じる。この誤差を、カムプロフィール研削誤差と称する。
【００３７】
ここで、研削抵抗によって被加工物Ｗまたは複合研削盤１の各構成部品が撓み変形する。そして、カムプロフィールは、当該撓み変形がないものとして設定されている。ところで、被加工物Ｗの研削部位が円筒外周面の場合には、当該撓み変形があることによって、研削加工後の外径が目標の研削径よりも大きな径となってしまう。そのため、円筒研削においては、スパークアウトなどが行われる。
【００３８】
しかし、カムシャフトのカム外周面を研削加工する場合には、カムシャフトの回転位相に応じて、荒加工用砥石車７３のＸ方向位置を変動させる必要がある。そのため、カム外周面を研削加工する場合において、当該撓み変形を生じることによって、実際の研削加工後の形状Ｗａ２がカムプロフィールＷａ１に対してカムプロフィール研削誤差を生じる。このカムプロフィール研削誤差は、カムプロフィールＷａ１よりも切り込み方向（削りすぎとなる方向）に生じるおそれがある。そこで、カムプロフィール研削誤差を考慮して、仕上取代を設定している。なお、図３において、実際の研削加工後の形状Ｗａ２は、一部分のみを示しており、図示していない部位は、カムプロフィールＷａ１と同一であることを意味する。
【００３９】
以上説明したように、工程集約により被加工物Ｗであるカムシャフトの脱着を行わないことによる仕上取代の低減化に加えて、荒加工用砥石車７３の形状に関わりなく仕上取代を設定でき、仕上取代の設定方法を上記のようにすることによる仕上取代の低減化を合わせることで、仕上取代の最小限化を図ることができる。その結果、仕上加工用砥石車の寿命を延長でき、仕上加工用砥石車に要するコストを低減することができる。
【００４０】
（製造ラインにおける研削システム）
次に、第一実施形態における製造ラインにおける研削システムについて図４を参照して説明する。製造ラインは、被加工物Ｗであるカムシャフトを製造するラインである。当該製造ラインのうち複合研削盤１の配置される部分のみについて説明する。なお、当該部分を研削システムと称する。
【００４１】
被加工物Ｗであるカムシャフトの製造ラインは、１つの前工程１１０と１つの後工程１２０との間に、上述したカム外周面の研削工程（荒加工工程および仕上加工工程）を行う複合研削盤１が２台配置されている。つまり、本実施形態における研削システムは、２台の複合研削盤１により構成されている。ここで、前工程１１０および後工程１２０を１つとしたのは、当該前工程１１０から１つずつの被加工物Ｗであるカムシャフトが当該研削工程へ搬送され、当該研削工程から１つの当該後工程１２０へ排出する場合を特定するためである。
【００４２】
そして、複数の複合研削盤１，１は、前工程１１０と後工程１２０との間において並列に実行する。それぞれの複合研削盤１は、同一の研削加工を行う。具体的には、それぞれの複合研削盤１は、製造ラインの前工程１１０から搬送された被加工物Ｗであるカムシャフトに対して荒加工工程と仕上加工工程を順に行い、仕上加工工程の後に被加工物Ｗであるカムシャフトを製造ラインの後工程１２０に排出する。
【００４３】
つまり、前工程１１０から一つ目の被加工物Ｗが一つ搬送されてきた場合には、一方の複合研削盤１が荒加工工程および仕上加工工程を行い、後工程１２０に排出する。そして、前工程１１０から次の被加工物Ｗが搬送されてきた場合には、他方の複合研削盤１が荒加工工程および仕上加工工程を行い、後工程１２０に排出する。その後は、交互に処理される。このようにすることで、仕上加工用砥石車７４に要するコストを低減することができ、製造ラインのサイクルタイムの短縮を図ることも可能となる。この点の詳細は後述する。
【００４４】
＜第二実施形態＞
第二実施形態の研削方法および研削盤について、図５を参照して説明する。本実施形態における研削盤は、第一実施形態における複合研削盤１に対して、複合砥石台６２を単一の砥石車を有する砥石台としたものである。つまり、本実施形態の研削盤は、一つの砥石車を有する。
【００４５】
そして、第二実施形態における製造ラインにおける研削システムは、図５に示すように、前工程１１０と後工程１２０との間に、荒加工用砥石車７３を備える第一の研削盤１３０、仕上加工用砥石車７４を備える第二の研削盤１４０が順に配置されている。第一の研削盤１３０は、荒加工用砥石車７３により荒加工工程のみを行う。一方、第二の研削盤１４０は、仕上加工用砥石車７４により仕上加工工程のみを行う。そして、第一実施形態にて説明したように、荒加工用砥石車７３の半径はＲ２であり、仕上加工用砥石車７４の半径はＲ３（＝Ｒ２）であり、被加工物Ｗであるカムシャフトのカム外周面における凹状曲面Ｗ１，Ｗ２の曲率半径の最小値Ｒ１よりも小さく形成されている。この場合、第一実施形態に比べると、製造ラインのサイクルタイムは長くなる。しかし、荒加工用砥石車の半径を、凹状曲面Ｗ１，Ｗ２の曲率半径の最小値Ｒ１より大きくした場合に比べると、製造ラインのサイクルタイムは短くできる。
【００４６】
＜参考例＞
上記第一，第二実施形態におけるツールコストおよび製造ラインのサイクルタイムについて考察するために、参考例として、米国特許第５，３９２，５６６号明細書に記載されている複合研削盤を適用した場合を例に挙げる。参考例における製造ラインは、第一実施形態について説明した図４に示す製造ラインと同様の構成とし、上述した複合研削盤１を、当該公報に記載の複合研削盤に置き換えたものである。そして、参考例としての複合研削盤において、荒加工工程における荒加工用砥石車の半径が、被加工物Ｗであるカムシャフトのカム外周面における凹状曲面Ｗ１，Ｗ２の曲率半径の最小値Ｒ１より大きくされ、仕上加工工程における仕上加工用砥石車の半径は、曲率半径の最小値Ｒ１より小さくされる。
【００４７】
＜第一，第二実施形態と参考例との比較＞
第一実施形態、第二実施形態および参考例について、製造ラインのサイクルタイムおよびツールコストについて検討する。第一，第二実施形態および参考例のそれぞれについて、図６（ａ）〜図６（ｃ）に、荒加工工程の取代、研削加工時間、および、仕上加工工程の仕上取代、研削加工時間を示す。ここで、第一実施形態および参考例における各工程の研削加工時間は、それぞれの複合研削盤による研削加工時間を複合研削盤の台数分である２台分で除算した時間が、１つの被加工物Ｗに対する荒加工工程と仕上加工工程に要する時間となる。これに対して、第二実施形態における各工程は、それぞれ別の研削盤により行われているため、各工程の研削加工時間は、それぞれ対応する工程の研削加工時間そのものとなる。
【００４８】
第一実施形態と第二実施形態とを比較すると、図６（ａ）（ｂ）より分かるように、第一実施形態の方が、荒加工工程の取代が多く、荒加工工程の研削加工時間が長くなり、仕上加工工程の仕上取代が少なく、かつ、仕上加工工程の研削加工時間が短くなっている。両者を比較すると、第一実施形態の方が、第二実施形態に比べて、荒加工用砥石車７３によりできるだけ多く研削加工を行い、仕上加工用砥石車７４による仕上取代をできるだけ少なくできていることが分かる。
【００４９】
第二実施形態においては、荒加工工程の第一の研削盤１３０と仕上加工工程の第二の研削盤１４０が別々であるため、第一の研削盤１３０による研削加工時間と、第二の研削盤１４０による研削加工時間をほぼ一致させるように、加工条件を設定している。この加工条件により、仕上加工工程専用の第二の研削盤１４０による仕上加工が、第一実施形態に比べると過剰となっている。
【００５０】
また、第二実施形態と参考例とを比較すると、図６（ｂ）（ｃ）から分かるように、第二実施形態の方が、荒加工工程の取代が多く、荒加工工程の研削加工時間が長くなり、仕上加工工程の仕上取代が少なく、かつ、仕上加工工程の研削加工時間が短くなっている。両者を比較すると、第二実施形態の方が、参考例に比べて、荒加工用砥石車７３によりできるだけ多く研削加工を行い、仕上加工用砥石車７４による仕上取代をできるだけ少なくできていることが分かる。これは、荒加工用砥石車７３の半径Ｒ２をカムシャフトのカム外周面の曲率半径の最小値Ｒ１より小さくすることで、荒加工用砥石車７３により多くの量を研削加工できることによると考えられる。
【００５１】
次に、ツールコストについて、図７を参照して検討する。図７は、第一実施形態、第二実施形態および参考例についてのツールコストを示している。ここで、図７の「コスト単価比」とは、荒加工用砥石車７３と仕上加工用砥石車７４の取代φ１ｍｍ当たりのコスト比である。荒加工用砥石車７３と仕上加工用砥石車７４のコスト単価比は、砥石車１枚当たりの研削加工可能な被加工物Ｗの数、砥石車１枚の価格、被加工物Ｗを１個当たり砥石車の価格、被加工物Ｗを１個当たりのそれぞれの取代から算出すると、約１：８（＝荒加工用砥石車７３のコスト単価：仕上加工用砥石車７４のコスト単価）となる。
【００５２】
図７の下から２段目に記載しているように、第一実施形態および第二実施形態における仕上加工用砥石車７４のコスト比は、参考例に比べて大幅に低減できている。特に、第一実施形態における仕上加工用砥石車７４のコスト比は、参考例に比べると、極めて大幅に低減できていることが分かる。一方、第一実施形態および第二実施形態における荒加工用砥石車７３のコスト比は、参考例に比べて増加しているが、仕上加工用砥石車７４のコスト比の差分に比べると非常に僅かである。そのため、コスト比合計として見た場合に、第一実施形態及び第二実施形態のコスト比合計は、参考例のコスト比合計に比べて大幅に低減できていることが分かる。特に、第一実施形態におけるコスト比合計は、参考例に比べると、極めて大幅に低減できている。
【００５３】
＜その他＞
上記実施形態において、複合研削盤１を砥石台トラバース型として、砥石支持装置６０がトラバース送りをし、支持装置２０に支持される被加工物Ｗをベッド１０に対して固定する構成とした。この他に、複合研削盤１の支持装置２０を載置するテーブルをトラバース送りする構成とし、複合砥石台６２をベッド１０に対してＸ軸方向のみに移動する構成においても同様に本発明を適用できる。
【符号の説明】
【００５４】
１：複合研削盤、  １０：ベッド、  １１：砥石台用ガイドレール
１２：砥石台用Ｚ軸ボールねじ、  １３：砥石台用Ｚ軸モータ
２０：支持装置、  ２１：主軸台、  ２２：心押台
６０：砥石支持装置、  ６１：砥石台トラバースベース、  ６２：複合砥石台
７１：砥石台本体、  ７２：砥石台旋回機構、  ７３：荒加工用砥石車
７４：仕上加工用砥石車、  ７５，７６：砥石回転用モータ、  ８０：制御装置
Ｗ：被加工物（カムシャフト）、  Ｗ１，Ｗ２：凹状曲面
【図１】
2012091285.tif 000003
【図２】
2012091285.tif 000004
【図３】
2012091285.tif 000005
【図４】
2012091285.tif 000006
【図５】
2012091285.tif 000007
【図６】
2012091285.tif 000008
【図７】
2012091285.tif 000009